(57)【要約】【課題】災害時などでも生物の拡散が防止される生物収容器を提供する。【解決手段】生物収容器の一態様は、生きた状態で内部に収容した生物における繁殖可能な要素の外部拡散を防ぐ拡散防止機構を備えた第１容器と、上記第１容器を内部に収容し、上記拡散防止機構を備えた第２容器と、上記第１容器および上記第２容器の少なくとも一方について、前記要素の拡散防止が損なわれていることの検知を行う検知器と、を備える。【選択図】      図１
2019103433.tif 000002
【特許請求の範囲】
【請求項１】
生きた状態で内部に収容した生物における繁殖可能な要素の外部拡散を防ぐ拡散防止機構を備えた第１容器と、
前記第１容器を内部に収容し、前記拡散防止機構を備えた第２容器と、
前記第１容器および前記第２容器の少なくとも一方について、前記要素の拡散防止が損なわれていることの検知を行う検知器と、
を備えたことを特徴とする生物収容器。
【請求項２】
前記拡散防止機構が、前記生物の生息環境を成す媒体を通過させ前記要素は遮るフィルタであることを特徴とする請求項１記載の生物収容器。
【請求項３】
前記第１容器と前記第２容器との少なくとも一方の容器について、前記媒体を前記フィルタ経由で容器内外に循環させる循環器を備え、
前記検知器が、前記媒体の状態を検知することで容器損壊の検知を行うものであることを特徴とする請求項２に記載の生物収容器。
【請求項４】
前記第１容器と前記第２容器との少なくとも一方が内部に液体を溜めたものであり、
前記検知器が、前記液体の状態を検知することで容器損壊の検知を行うものであることを特徴とする請求項１から３のいずれか１項に記載の生物収容器。
【請求項５】
前記第１容器が内部に液体を溜めたものであり、
前記第２容器が、前記第１容器に損壊が生じて前記液体が漏れた場合であっても該液体が届かない高さに開閉蓋を備えたものであることを特徴とする請求項１から４のいずれか１項に記載の生物収容器。
【請求項６】
前記第１容器が、容器壁の一部として透明な壁を有するものであり、
前記第２容器が、前記第１容器の透明な壁に対面した箇所に透明な壁を有するものであることを特徴とする請求項１から５のいずれか１項に記載の生物収容器。
【請求項７】
前記第１容器の透明な壁と、前記第２容器の透明な壁との間に液体が溜められていることを特徴とする請求項６に記載の生物収容器。
【請求項８】
前記透明な壁が、アクリル樹脂あるいはガラスからなることを特徴とする請求項６又は７に記載の生物収容器。
【請求項９】
前記第１容器が、前記生物の生息環境を成す媒体を循環させるとともに該媒体から不要物を濾過する濾過器を備えたものであることを特徴とする請求項１，４から８のいずれか１項に記載の生物収容器。
【請求項１０】
前記第２容器が、前記第１容器のうち前記生物が収容された収容部が内部に納められた第１室と、前記第１容器のうち前記濾過器が内部に納められた第２室とを備え、
前記第１室および前記第２室が、個別に開閉可能な各開閉蓋を有するものであることを特徴とする請求項９に記載の生物収容器。
【請求項１１】
前記検知器が容器の損壊を検知した場合に、予め決められた通知先に検知を通知する通知機構を備えたことを特徴とする請求項１から１０のいずれか１項に記載の生物収容器。
【発明の詳細な説明】
【技術分野】
【０００１】
本発明は、生物を外部環境に拡散させないように収容する生物収容器に関する。
【背景技術】
【０００２】
近年、遺伝子組み換え技術により、例えばＹｏｒｋｔｏｗｎ  Ｔｅｃｈｎｏｌｏｇｉｅｓ社がＧｌｏ  Ｆｉｓｈ（登録商標）という名称で販売している蛍光ゼブラフィッシュ等のような観賞用の生物が開発されている。このような遺伝子組換え生物が外部環境に拡散した場合、生態系に影響を及ぼす虞がある。
【０００３】
そのためこれら生物およびその生物の受精卵、種子、花粉、胞子など子孫を形成する可能性があるもの（以下、「繁殖要素」と称する。）については、カルタヘナ法により、保管場所等から外部環境に拡散させないための拡散防止処置を行うことが義務づけられている。
例えば特許文献１には、遺伝子組換えウイルスに感染した蚕の飼育装置に係る発明が開示されている。
【先行技術文献】
【特許文献】
【０００４】
【特許文献１】特開平０９−１９２３９号公報
【発明の概要】
【発明が解決しようとする課題】
【０００５】
しかし、観賞用に遺伝子組み換え生物が展示される場合には、地震等の自然災害時や展示場所の周囲での事故時においても拡散防止処置が維持され、生物の拡散が防止される技術が望まれる。特許文献１で開示されている技術は、展示を目的としたものではなく、災害時や事故時にも拡散防止処置を維持することについての記載はない。
そこで、本発明は、災害時などでも生物の拡散が防止される生物収容器を提供することを目的とする。
【課題を解決するための手段】
【０００６】
上記課題を解決するために、本発明に係る生物収容器の一態様は、生きた状態で内部に収容した生物における繁殖可能な要素の外部拡散を防ぐ拡散防止機構を備えた第１容器と、上記第１容器を内部に収容し、上記拡散防止機構を備えた第２容器と、上記第１容器および上記第２容器の少なくとも一方について、前記要素の拡散防止が損なわれていることの検知を行う検知器と、を備える。
【０００７】
このような生物収容器によれば、第１容器および第２容器による２重の拡散防止が図られていると共に、容器の損壊が生じた場合には検知器によって損壊が検知されるので、災害時などでも拡散防止が保たれている間に対応可能となる。
【０００８】
上記生物収容器において、上記拡散防止機構は、上記生物が生きる環境を成す媒体を通過させ上記要素は遮るフィルタであってもよい。このようなフィルタが拡散防止機構として用いられる場合には、フィルタを介した媒体（例えば空気や水）の入れ替えが可能であるため、生物の生育環境の維持が容易である。
【０００９】
また、フィルタが拡散防止機構として用いられた生物収容器は、上記第１容器と上記第２容器との少なくとも一方の容器について、上記媒体を上記フィルタ経由で容器内外に循環させる循環器を備え、上記検知器が、上記媒体の状態を検知することで容器損壊の検知を行うものであってもよい。
【００１０】
循環する媒体の状態（例えば流量や流速や圧力）の検知により、媒体の漏れの有無が判別されるので容器の損壊が容易に検知される。また、循環する媒体が、生息環境の維持と損壊検知との双方に活用されるので、個別の機構が組み込まれる場合に較べてシステムとしての簡素化が図られる。
【００１１】
また、上記生物収容器において、上記第１容器と上記第２容器との少なくとも一方が内部に液体を溜めたものであり、上記検知器が、上記液体の状態を検知することで容器損壊の検知を行うものであってもよい。液体の状態（例えば水位や特定箇所への流出）の検知によっても容器の損壊が容易に検知される。
【００１２】
また、上記生物収容器において、上記第１容器が内部に液体を溜めたものであり、上記第２容器が、上記第１容器に損壊が生じて上記液体が漏れた場合であってもその液体が届かない高さに開閉蓋を備えることが望ましい。このような高さに開閉蓋が備えられることにより、第１容器の損壊時における生物回収などが容易となる。
【００１３】
また、上記生物収容器において、上記第１容器が、容器壁の一部として透明な壁を有するものであり、上記第２容器が、上記第１容器の透明な壁に対面した箇所に透明な壁を有するものであることが好ましい。このような透明な壁を有する生物収容器によれば、生物の拡散防止が維持された状態で生物の観賞が可能である。
【００１４】
透明な壁を有する生物収容器において、上記第１容器の透明な壁と、上記第２容器の透明な壁との間には液体が溜められていてもよい。複数壁の存在による視認性の悪化が、壁の間に液体が満たされることによって緩和される。
【００１５】
また、透明な壁を有する生物収容器において、上記透明な壁は、アクリル樹脂あるいはガラスからなることが好ましい。壁がアクリル樹脂あるいはガラスからなることで視認性が向上する。
【００１６】
また、上記生物収容器において、上記第１容器が、上記生物の生息環境を成す媒体を循環させるとともに該媒体から不要物を濾過する濾過器を備えたものであってもよい。媒体の循環系も含めて第２容器内に収容されることにより、生物の拡散防止が厳重化される。
【００１７】
第１容器に濾過器が備えられた生物収容器において、上記第２容器が、上記第１容器のうち上記生物が収容された収容部が内部に納められた第１室と、上記第１容器のうち上記濾過器が内部に納められた第２室とを備え、上記第１室および上記第２室が、個別に開閉可能な各開閉蓋を有するものであってもよい。このように個別の開閉蓋を有することにより、濾過器のメンテナンスなどが容易となる。
【００１８】
また、上記生物収容器において、上記検知器が容器の損壊を検知した場合に、予め決められた通知先に検知を通知する通知機構を備えてもよい。通知機構の通知によって損壊の検知が通知先で速やかに認識されるので、事故時などでも、拡散防止が保たれている間の速やかな対応が可能となる。
【発明の効果】
【００１９】
本発明の生物収容器によれば、災害時などでも生物の拡散が防止される。
【図面の簡単な説明】
【００２０】
【図１】本発明の生物収容器の第１実施形態を示す図である。
【図２】損壊検知方法の説明図である。
【図３】本発明の生物収容器の第２実施形態を示す図である
【図４】第２実施形態における損壊検知方法の説明図である。
【図５】本発明の生物収容器の第３実施形態を示す図である。
【図６】第３実施形態における損壊検知方法の説明図である。
【図７】本発明の生物収容器の第４実施形態を示す図である。
【図８】第４実施形態における損壊検知方法の説明図である。
【図９】本発明の生物収容器の第５実施形態を示す図である。
【図１０】第５実施形態における損壊検知方法の説明図である。
【図１１】本発明の生物収容器の第６実施形態を示す図である。
【図１２】本発明の生物収容器の第７実施形態を示す図である。
【図１３】第７実施形態における損壊検知方法の説明図である
【図１４】本発明の生物収容器の第８実施形態を示す図である。
【図１５】第８実施形態における損壊検知方法の説明図である。
【図１６】本発明の生物収容器の第９実施形態を示す図である。
【図１７】第９実施形態における損壊検知方法の説明図である。
【図１８】本発明の生物収容器の第１０実施形態を示す図である。
【図１９】本発明の生物収容器の第１１実施形態を示す図である。
【図２０】第１１実施形態における損壊の通知システムを示す図である。
【図２１】外側容器における蓋の第１の構造例を示す図である。
【図２２】外側容器における蓋の第２の構造例を示す図である。
【図２３】第１の容器構成を示す図である
【図２４】第２の容器構成を示す図である。
【発明を実施するための形態】
【００２１】
以下、本発明の実施の形態を図面に基づいて説明する。
図１は、本発明の生物収容器の第１実施形態を示す図である。
【００２２】
第１実施形態の生物収容器１は、内側容器１０と外側容器２０が入れ子になった構造を有する。内側容器１０は、例えばポリウレタン製のマット１３に載せられて外側容器２０中に設置されている。
【００２３】
内側容器１０は、例えば６００ｍｍの幅と３００ｍｍの奥行と３６０ｍｍの高さを有し、板厚が例えば４ｍｍのアクリル板からなっている。内側容器１０の内部には土１２が敷かれ、観賞用の生物として例えばバラＲが収容される。このバラＲは、遺伝子組み換え生物の一種であり、例えば生物発光を生じさせる遺伝子が組み込まれているものとする。外側容器２０は、例えば７００ｍｍの幅と４００ｍｍの奥行と４６０ｍｍの高さを有し、板厚が例えば４ｍｍのアクリル板からなっている。なお、内側容器１０および外側容器２０の材料としてはガラスが用いられてもよい。アクリル樹脂やガラスは容器内部の視認性に優れた材料であるため、生物収容器１は生物の観賞に適している。
【００２４】
内側容器１０および外側容器２０それぞれの上部には、生物の出し入れおよび生育環境管理のための各開口部１５，２５が設けられており、これらの開口部１５，２５は展示の際には内側用蓋１１および外側用蓋２１でそれぞれ閉じられる。各開口部１５，２５は例えばフランジ構造となっていて、各開口部１５，２５の縁から例えば５０ｍｍ内側へ張り出して各開口部１５，２５の縁を一周したフランジ１６，２６を有している。内側用蓋１１および外側用蓋２１は、例えば塩化ビニル樹脂からなり、各開口部１５，２５に対して密着可能かつ取り外し可能で例えば留金によって密着されて固定される。また、内側用蓋１１および外側用蓋２１には開け閉めのための取っ手が設けられているものとする。
【００２５】
内側容器１０と外側容器２０の双方について、内部には空気が満たされている。内側容器１０が本発明にいう第１容器の一例に相当し、外側容器２０が本発明にいう第２容器の一例に相当する。
【００２６】
第１実施形態の生物収容器１は、内側容器１０の内部から外側容器２０の外部まで貫通して空気を通す第１の通気パイプ３１を備えている。この第１の通気パイプ３１の途中にはヘパフィルタ４１が設けられている。また、第１の通気パイプ３１は空気循環用ポンプ６１（例えば水作株式会社製, 水心ＳＳＰＰ−２Ｓ）に接続されており、この空気循環用ポンプ６１によって第１の通気パイプ３１内へと空気が送り込まれ、ヘパフィルタ４１経由で内側容器１０の内部へと空気が供給される。なお、通気パイプに空気を送る送気手段としてはファンが採用されてもよい。
【００２７】
第１実施形態の生物収容器１は、外側容器２０の内部で内側容器１０の内外を貫通して空気を通す第２の通気パイプ３２も備えている。この第２の通気パイプ３２の途中にもヘパフィルタ４２が設けられている。外側容器２０から内側容器１０の内部へと供給されてきた空気は、図中の矢印が示すように内側容器１０内を流れ、第２の通気パイプ３２から内側容器１０の外部（但し外側容器２０の内部）へと流出する。
【００２８】
更に第２の通気パイプ３２には、空気の流量を検知する第１の流量センサ５１（例えばアリキャット（Ａｌｉｃａｔ）製，マスフローコントローラＭＣ−２０ＳＬＰＭ）が設置されている。この第１の流量センサ５１により、内側容器１０の内部から外部へと流出する空気の流量が検知される。
【００２９】
更に、第１実施形態の生物収容器１は、外側容器２０の内外を貫通して空気を通す第３の通気パイプ３３も備えている。第２の通気パイプ３２を介して内側容器１０から外側容器２０へと流れてきた空気は、図中の矢印が示すように外側容器２０内を流れ、第３の通気パイプ３３から外側容器２０の外部へと流出する。
【００３０】
第３の通気パイプ３３にもヘパフィルタ４３が設けられており、第３の通気パイプ３３には第２の流量センサ５２も設置されている。この第２の流量センサ５２により、外側容器２０の外部へと流出する空気の流量が検知される。なお、各流量センサ５１，５２の設置箇所として、図１では、容器の外部側の箇所が一例として示されているが、図１に点線で示されているように、各流量センサ５１，５２は、容器の内部側に設けられてもよい。
【００３１】
第１実施形態の生物収容器１は、例えばバラＲなどが観賞用の生物として収容されるので、花粉などについても子孫を形成する可能性があり（即ち繁殖要素に該当し）、外部環境への拡散防止が求められる。ヘパフィルタ４２，４３は、定格風量で粒径が０．３μｍの粒子に対して９９．９７％以上の粒子捕集率を有するので、第１実施形態の生物収容器１では、粒径が約０．０１ｍｍ程度の花粉などについても充分な拡散防止が図られている。このヘパフィルタ４２，４３が、本発明にいう拡散防止機構の一例に相当し、内側容器１０および外側容器２０により２重の拡散防止が図られている。なお、第１の通気パイプ３１に設置されているヘパフィルタ４１に関しては、空気循環用ポンプ６１の停止や逆流に備えて設置されたものであり、空気循環用ポンプ６１が常に空気を送り続けるという前提であれば設置されなくてもよい。
【００３２】
第１実施形態の生物収容器１では、第１の流量センサ５１および第２の流量センサ５２による流量の検知で、以下説明するように、内側容器１０および外側容器２０の損壊が検知される。つまり、これらの流量センサ５１，５２は、本発明にいう検知器の一例に相当する。なお、本発明にいう検知器としては、流量センサに替えて流速センサや圧力センサが用いられてもよい。以下、内側容器１０および外側容器２０の損壊検知方法について説明する。
図２は、損壊検知方法の説明図である。
【００３３】
図２には、流量センサの検知例を表したグラフが示されている。各グラフの横軸は時間を表し、縦軸は流量センサによる検知量を表している。また、各グラフには、図１に示す第１の流量センサ５１による検知量（流量）を示した実線のラインＬ１と、第２の流量センサ５２による検知量（流量）を示した破線のラインＬ２と、空気循環用ポンプ６１による送気量（設定値）を示した一点鎖線のラインＬ３が記されている。
内側容器１０および外側容器２０が損壊していない平常時には、３つのラインＬ１，Ｌ２，Ｌ３は同じ流量を示している。
【００３４】
図２（Ａ）に示されたように、第１の流量センサ５１による検知量（流量）が他の流量に較べて低下した場合には、内側容器１０の内部から外部へと、第２の通気パイプ３２以外の経路で空気が漏れている異常時に移行したことになり、図２（Ａ）の矢印が示す時点で内側容器１０に損壊が生じたことが検知される。
【００３５】
一方、図２（Ｂ）に示されたように、第２の流量センサ５２による検知量（流量）が他の流量に較べて低下した場合には、外側容器２０の内部から外部へと、第３の通気パイプ３３以外の経路で空気が漏れている異常時に移行したことになり、図２（Ｂ）の矢印が示す時点で外側容器２０に損壊が生じたことが検知される。
【００３６】
このように、第１実施形態の生物収容器１では、内側容器１０および外側容器２０それぞれにおける損壊が検知可能であり、例えば災害時や生物収容器１周辺での事故時などに容器の損壊が検知されると、生物の拡散防止が維持されている間に管理者などによって生物収容器１が回収されることになる。
【００３７】
次に、本発明の生物収容器の第２実施形態について説明する。この第２実施形態は、空気循環用ポンプと流量センサの位置が異なる点を除いて第１実施形態と同様の形態であるので以下の説明では相違点に着目し、重複説明は省略する。
図３は、本発明の生物収容器の第２実施形態を示す図である。
【００３８】
第２実施形態の生物収容器２では、第１の通気パイプ３１に第１の流量センサ５１が設置されていて、第２の通気パイプ３２には空気循環用ポンプ６１が繋がっている。そして、第３の通気パイプ３３には第２の流量センサ５２が設置されている。
【００３９】
第２実施形態の生物収容器２における空気循環用ポンプ６１は、内側容器１０から外側容器２０へと空気を吸い出し、第１の流量センサ５１は、第１の通気パイプ３１を介して内側容器１０へと流入する空気の流量を検知し、第２の流量センサ５２は、外側容器２０から外部へと流出する空気の流量を検知する。
【００４０】
このような流量センサ５１，５２と空気循環用ポンプ６１の配置でも、第１の流量センサ５１および第２の流量センサ５２による流量の検知で、内側容器１０および外側容器２０の損壊が検知される。
図４は、第２実施形態における損壊検知方法の説明図である。
【００４１】
図４にも、流量センサの検知例を表したグラフが示されている。各グラフの横軸は時間を表し、縦軸は流量センサによる検知量を表している。また、各グラフには、図３に示す第１の流量センサ５１による検知量（流量）を示した実線のラインＬ１と、第２の流量センサ５２による検知量（流量）を示した破線のラインＬ２と、空気循環用ポンプ６１による送気量（設定値）を示した一点鎖線のラインＬ３が記されている。
第２実施形態の場合にも、内側容器１０および外側容器２０が損壊していない平常時には、３つのラインＬ１，Ｌ２，Ｌ３は同じ流量を示している。
【００４２】
図４（Ａ）に示されたように、第１の流量センサ５１による検知量（流量）と第２の流量センサ５２による検知量（流量）が、空気循環用ポンプ６１による送気量に較べて低下した場合には、内側容器１０の外部から内部へと、第２の通気パイプ３２以外の経路で空気が漏れている異常時に移行したことになり、図４（Ａ）の矢印が示す時点で内側容器１０に損壊が生じたことが検知される。
【００４３】
一方、図４（Ｂ）に示されたように、第２の流量センサ５２による検知量（流量）が他の流量に較べて低下した場合には、外側容器２０の内部から外部へと、第３の通気パイプ３３以外の経路で空気が漏れている異常時に移行したことになり、図４（Ｂ）の矢印が示す時点で外側容器２０に損壊が生じたことが検知される。
【００４４】
このように、第２実施形態の生物収容器２でも、内側容器１０および外側容器２０それぞれにおける損壊が検知可能であり、容器の損壊が検知されると、生物の拡散防止が維持されている間に管理者などによって生物収容器２が回収されることになる。
【００４５】
次に、本発明の生物収容器の第３実施形態について説明する。この第３実施形態も、空気循環用ポンプと流量センサの位置が異なる点を除いて第１実施形態と同様の形態であるので以下の説明では相違点に着目し、重複説明は省略する。
図５は、本発明の生物収容器の第３実施形態を示す図である。
【００４６】
第３実施形態の生物収容器３では、第１の通気パイプ３１に第１の流量センサ５１が設置されていて、第２の通気パイプ３２には第２の流量センサ５２が設置されている。そして、第３の通気パイプ３３には空気循環用ポンプ６１が繋がっている。
【００４７】
第３実施形態の生物収容器３における空気循環用ポンプ６１は、外側容器２０から外部へと空気を吸い出し、第１の流量センサ５１は、第１の通気パイプ３１を介して内側容器１０へと流入する空気の流量を検知し、第２の流量センサ５２は、内側容器１０から外側容器２０へと流出する空気の流量を検知する。
【００４８】
このような流量センサ５１，５２と空気循環用ポンプ６１の配置でも、第１の流量センサ５１および第２の流量センサ５２による流量の検知で、内側容器１０および外側容器２０の損壊が検知される。
図６は、第３実施形態における損壊検知方法の説明図である。
【００４９】
図６にも、流量センサの検知例を表したグラフが示されている。各グラフの横軸は時間を表し、縦軸は流量センサによる検知量を表している。また、各グラフには、図５に示す第１の流量センサ５１による検知量（流量）を示した実線のラインＬ１と、第２の流量センサ５２による検知量（流量）を示した破線のラインＬ２と、空気循環用ポンプ６１による送気量（設定値）を示した一点鎖線のラインＬ３が記されている。
第３実施形態の場合にも、内側容器１０および外側容器２０が損壊していない平常時には、３つのラインＬ１，Ｌ２，Ｌ３は同じ流量を示している。
【００５０】
図６（Ａ）に示されたように、第２の流量センサ５２による検知量（流量）が他の流量に較べて低下した場合には、内側容器１０の内部から外部へと、第２の通気パイプ３２以外の経路で空気が漏れている異常時に移行したことになり、図６（Ａ）の矢印が示す時点で内側容器１０に損壊が生じたことが検知される。
【００５１】
一方、図６（Ｂ）に示されたように、第１の流量センサ５１による検知量（流量）と第２の流量センサ５２による検知量（流量）が、空気循環用ポンプ６１による送気量に較べて低下した場合には、外側容器２０の外部から内部へと、第３の通気パイプ３３以外の経路で空気が漏れている異常時に移行したことになり、図６（Ｂ）の矢印が示す時点で外側容器２０に損壊が生じたことが検知される。
【００５２】
このように、第３実施形態の生物収容器３でも、内側容器１０および外側容器２０それぞれにおける損壊が検知可能であり、容器の損壊が検知されると、生物の拡散防止が維持されている間に管理者などによって生物収容器３が回収されることになる。
【００５３】
次に、本発明の生物収容器の第４実施形態について説明する。この第４実施形態は、第１の流量センサ５１が設置されていない点を除いて第３実施形態と同様の形態であるので以下の説明では相違点に着目し、重複説明は省略する。
図７は、本発明の生物収容器の第４実施形態を示す図である。
【００５４】
第４実施形態の生物収容器４では、第２の通気パイプ３２には流量センサ５２が設置されていて、第３の通気パイプ３３には空気循環用ポンプ６１が繋がっているが、第１の通気パイプ３１にはポンプもセンサも設けられていない。従って、第４実施形態の生物収容器３では、第１の通気パイプ３１を介して内側容器１０へと流入する空気の流量が不明である。第４実施形態の場合には流量センサ５２は、内側容器１０の外側かつ外側容器２０の内側となっている空間に流入する空気の流量を検知していると解釈することができる。また、空気循環用ポンプ６１は、そのような空間から外部へと空気を吸い出していると解釈することができる。
このような流量センサ５２と空気循環用ポンプ６１の配置でも、流量センサ５２による流量の検知で、内側容器１０および外側容器２０の損壊が検知される。
図８は、第４実施形態における損壊検知方法の説明図である。
【００５５】
図８にも、流量センサの検知例を表したグラフが示されている。グラフの横軸は時間を表し、縦軸は流量センサによる検知量を表している。また、図８のグラフには、図７に示す流量センサ５２による検知量（流量）を示した実線のラインＬ４と、空気循環用ポンプ６１による送気量（設定値）を示した一点鎖線のラインＬ５が記されている。
第４実施形態の場合には、内側容器１０および外側容器２０が損壊していない平常時には、２つのラインＬ４，Ｌ５は同じ流量を示している。
【００５６】
グラフに示されたように、流量センサ５２による検知量（流量）が、空気循環用ポンプ６１による送気量に較べて低下した場合には、内側容器１０の外側かつ外側容器２０の内側となっている空間の外部から内部へと、第２の通気パイプ３２以外の経路で空気が漏れている異常時に移行したことになり、図の矢印が示す時点で、内側容器１０および外側容器２０のいずれかに損壊が生じたことが検知される。
【００５７】
このように、第４実施形態の生物収容器４では、内側容器１０および外側容器２０それぞれにおける個別の損壊は検知できないが、内側容器１０および外側容器２０のどちらに損壊が生じた場合でも損壊が検知される。このため、容器の損壊が検知されると、生物の拡散防止が維持されている間に管理者などによって生物収容器４が回収されることになる。
【００５８】
次に、本発明の生物収容器の第５実施形態について説明する。この第５実施形態は、流量センサが増設されている点を除いて第１実施形態と同様の形態であるので以下の説明では相違点に着目し、重複説明は省略する。
図９は、本発明の生物収容器の第５実施形態を示す図である。
【００５９】
第５実施形態の生物収容器５では、第１の通気パイプ３１に第３の流量センサ５３が設置されている。この第３の流量センサ５３は空気循環用ポンプ６１の送気量をモニタする。このように第３の流量センサ５３が設けられていることにより、第５実施形態の生物収容器５では、第１実施形態の生物収容器１よりも正確な容器の損壊検知が可能となる。
図１０は、第５実施形態における損壊検知方法の説明図である。
【００６０】
図１０にも、流量センサの検知例を表したグラフが示されている。各グラフの横軸は時間を表し、縦軸は流量センサによる検知量を表している。また、各グラフには、図９に示す第１の流量センサ５１による検知量（流量）を示した実線のラインＬ１と、第２の流量センサ５２による検知量（流量）を示した破線のラインＬ２と、第３の流量センサ５３による検知量（流量）を示した一点鎖線のラインＬ６が記されている。
【００６１】
第５実施形態の場合も、内側容器１０および外側容器２０が損壊していない平常時には、３つのラインＬ１，Ｌ２，Ｌ６は同じ流量を示している。但し、第１実施形態では、空気循環用ポンプ６１の送気量を示したラインＬ３（図２参照）は空気循環用ポンプ６１における設定値を示したものであって、実際の送気量ではないのに対し、第５実施形態では、第３の流量センサ５３による検知量（流量）は図９に示す空気循環用ポンプ６１が実際に送っている送気量を表している。従って、第５実施形態の場合には、図９に示す空気循環用ポンプ６１の送気量が変動した場合であっても平常時には３つのラインＬ１，Ｌ２，Ｌ６は同じ流量を示し、第１実施形態よりも正確な判定が可能である。
【００６２】
図１０（Ａ）に示されたように、第１の流量センサ５１による検知量（流量）が他の流量に較べて低下した場合には、内側容器１０の内部から外部へと、第２の通気パイプ３２以外の経路で空気が漏れている異常時に移行したことになり、図１０（Ａ）の矢印が示す時点で内側容器１０に損壊が生じたことが検知される。第５実施形態では、このような異常時の場合でも、空気循環用ポンプ６１による送気量の変動分には影響されずに正確な判定が可能である。
【００６３】
また、図１０（Ｂ）に示されたように、第２の流量センサ５２による検知量（流量）が他の流量に較べて低下した場合には、外側容器２０の内部から外部へと、第３の通気パイプ３３以外の経路で空気が漏れている異常時に移行したことになり、図１０（Ｂ）の矢印が示す時点で外側容器２０に損壊が生じたことが検知される。
次に、本発明の生物収容器の第６実施形態について説明する。
図１１は、本発明の生物収容器の第６実施形態を示す図である。
図１１に示されている要素のうち、第１実施形態の要素と同様の要素については同一の符号を付して重複説明を省略する。
第６実施形態の生物収容器６は、第１実施形態の生物収容器１と同様に内側容器１０および外側容器２０を備えている。
【００６４】
第６実施形態の生物収容器６には、外側容器２０の壁を貫通し、外側容器２０の外部から内部へと空気が通る第１の通気パイプ３５が備えられている。この第１の通気パイプ３５にはヘパフィルタ４５が設けられており、この第１の通気パイプ３５は第１の空気循環用ポンプ６５に繋がっている。第１の空気循環用ポンプ６５によって第１の通気パイプ３５およびヘパフィルタ４５を介して空気が外側容器２０の内部へと供給される。
【００６５】
また、第６実施形態の生物収容器６には、内側容器１０の壁を貫通し、内側容器１０の外部から内部へと空気が通る第２の通気パイプ３６も備えられている。この第２の通気パイプ３６にもヘパフィルタ４６が設けられており、この第２の通気パイプ３６は第２の空気循環用ポンプ６６に繋がっている。第２の空気循環用ポンプ６６によって第２の通気パイプ３６およびヘパフィルタ４６を介して空気が内側容器１０の内部へと供給される。
【００６６】
更に、第６実施形態の生物収容器６には、内側容器１０の壁を貫通し、内側容器１０の内部から外部へと空気が通る第３の通気パイプ３７も備えられている。この第３の通気パイプ３７にもヘパフィルタ４７が設けられており、このヘパフィルタ４７は、例えばバラＲの花粉などのような繁殖要素が内側容器１０の外部へと拡散するのを防止する。この第３の通気パイプ３７には第１の流量センサ５５が設けられており、第３の通気パイプ３７を介した空気の流出量がこの第１の流量センサ５５によって検知される。
【００６７】
更にまた、第６実施形態の生物収容器６には、外側容器２０の壁を貫通し、外側容器２０の内部から外部へと空気が通る第４の通気パイプ３８も備えられている。この第４の通気パイプ３８にもヘパフィルタ４８が設けられており、このヘパフィルタ４８は、繁殖要素が外側容器２０の外部へと拡散するのを防止する。この第４の通気パイプ３８には第２の流量センサ５６が設けられており、第４の通気パイプ３８を介した空気の流出量がこの第２の流量センサ５６によって検知される。
【００６８】
第６実施形態では、内側容器１０に対する空気の流入流出と、外側容器２０に対する空気の流入流出とが独立している。即ち、内側容器１０については第２の通気パイプ３６から空気が流入して第３の通気パイプ３７から空気が流出し、外側容器２０については第１の通気パイプ３５から空気が流入して第４の通気パイプ３８から空気が流出する。従って、第１の空気循環用ポンプ６５による送気量と第２の流量センサ５６により検知される流量との比較によって外側容器２０の損壊が検知され、第２の空気循環用ポンプ６６による送気量と第１の流量センサ５５により検知される流量との比較によって内側容器１０の損壊が検知される。
次に、本発明の生物収容器の第７実施形態について説明する。
図１２は、本発明の生物収容器の第７実施形態を示す図である。
図１２に示されている要素のうち、第１実施形態の要素と同様の要素については同一の符号を付して重複説明を省略する。
【００６９】
第７実施形態の生物収容器７も、内側容器１０と外側容器２０が入れ子になった構造を有する。内側容器１０は、例えばポリウレタン製のマット１３に載せられて外側容器２０中に設置されている。第７実施形態の生物収容器７では、内側容器１０の内部には観賞用の生物として例えばカイコＳが収容される。このカイコＳも遺伝子組み換え生物の一種であり、例えば生物発光を生じさせる遺伝子が組み込まれているものとする。
【００７０】
外側容器２０の開口部２５は、第１実施形態と同様に、例えば塩化ビニル樹脂からなる外側用蓋２１によって密閉される。一方、内側容器１０の開口部１５は、カイコＳの生体や卵等と言った繁殖要素のサイズが０．５ｍｍ以上であるので、例えば塩化ビニル樹脂の枠に例えば０．４ｍｍのナイロン製網が張られた内側用蓋１７によって閉じられる。外側容器２０内部の空気は、この内側用蓋１７を介して内側容器１０の内外に移動する。この内側用蓋１７は、本発明にいう拡散防止機構の一例に相当する。
【００７１】
第７実施形態の生物収容器７には、外側容器２０の壁を貫通し、外側容器２０の外部から内部へと空気が通る第１の通気パイプ７１と、外側容器２０の壁を貫通し、外側容器２０の内部から外部へと空気が通る第２の通気パイプ７２が備えられている。また、これらの通気パイプ７１，７２には例えば０．４ｍｍの穴径を持つフィルタ８１，８２が設けられており、これらのフィルタ８１，８２（特に第２の通気パイプ７２に設けられたフィルタ８２）によってカイコＳの生体や卵等と言った繁殖要素が遮断される。これらのフィルタ８１，８２も、本発明にいう拡散防止機構の一例に相当する。つまり、第７実施形態の生物収容器７でも２重の拡散防止が図られている。
【００７２】
第７実施形態の生物収容器７では、内側容器１０と外側容器２０との間に、例えばグリセロール水溶液１４が満たされている。このグリセロール水溶液１４の屈折率は、アクリルの屈折率よりも低いが水よりも高い。このようなグリセロール水溶液１４が内側容器１０と外側容器２０との間に満たされていることで内側容器１０内部の生物（例えばカイコＳなど）の視認性が向上する。なお、内側容器１０と外側容器２０との間を満たす液体としては水が用いられてもよい。
【００７３】
第７実施形態の生物収容器７には、内側容器１０の内側に、内側容器１０による漏水の検出用として漏水センサ９１が設置されている。また、第７実施形態の生物収容器７には、外側容器２０の外側に、外側容器２０による漏水の検出用として漏水センサ９２が設置されている。これらの漏水センサ９１，９２としては、例えばオムロン製の漏液ポイントセンサ（Ｆ０３−１６ＰＳ）が採用される。内側の漏水センサ９１について必要な配線は例えば内側容器１０および外側容器２０を貫通して配備されていて、配線と容器との隙間は例えばシリコーンによって充填されている。
【００７４】
第７実施形態の生物収容器７に設けられた漏水センサ９１，９２は、液体の状態を検知するセンサの一種であり、グリセロール水溶液１４の漏洩状態（即ち、本来はグリセロール水溶液１４が存在しない箇所にグリセロール水溶液１４が流出した状態）を検知する。
【００７５】
第７実施形態の生物収容器７では、漏水センサ９１，９２による漏水の検知で内側容器１０および外側容器２０の損壊が検知される。つまり、これらの漏水センサ９１，９２は、本発明にいう検知器の一例に相当する。
図１３は、第７実施形態における損壊検知方法の説明図である。
【００７６】
図１３には、漏水センサの検知例を表したグラフが示されている。各グラフの横軸は時間を表し、縦軸はセンサのシグナル状態を表している。また、図１３のグラフには、図１２に示す２つの漏水センサ９１，９２を代表した一方におけるシグナル変化を示したラインＬ７が記されている。
【００７７】
内側容器１０および外側容器２０が損壊していない平常時には、漏水センサのシグナルはＯＦＦを示している。内側容器１０および外側容器２０のいずれかが損壊して異常時に移行すると、損壊した方の容器でグリセロール水溶液１４の漏水が生じ、２つの漏水センサ９１，９２のうち損壊した方の容器に対応した方の漏水センサ９１，９２で、図１３のグラフのラインＬ７が示すようにシグナルがＯＦＦからＯＮへと変化する。この結果、図１３の矢印が示す時点で容器に損壊が生じたことが検知される。
【００７８】
このように、第７実施形態の生物収容器７でも、内側容器１０および外側容器２０それぞれにおける損壊が検知可能であり、容器の損壊が検知されると、生物の拡散防止が維持されている間に管理者などによって生物収容器７が回収されることになる。
次に、本発明の生物収容器の第８実施形態について説明する。
図１４は、本発明の生物収容器の第８実施形態を示す図である。
図１４に示されている要素のうち、第７実施形態の要素と同様の要素については同一の符号を付して重複説明を省略する。
【００７９】
第８実施形態の生物収容器８も、内側容器１０と外側容器２０が入れ子になった構造を有し、内側容器１０の内部には観賞用の生物として例えばカイコＳが収容される。
【００８０】
第８実施形態の生物収容器８では、内側容器１０の開口部１５が第７実施形態と同様な、例えば塩化ビニル樹脂の枠に例えば０．４ｍｍのナイロン製網が張られた内側用蓋１７によって閉じられる。また、第８実施形態の生物収容器８では、外側容器２０の開口部２５も、例えば塩化ビニル樹脂の枠に例えば０．４ｍｍのナイロン製網が張られた外側用蓋２７によって閉じられる。内側容器１０および外側容器２０の空気は自然換気によって内側用蓋１７および外側用蓋２７を介して容器外の空気と入れ替わる。
【００８１】
なお、例えば観賞用の生物が植物であるような場合には、内側容器１０の開口部１５および外側容器２０の開口部２５は密閉されていてもよい。この場合、例えば開口部１５，２５に密着可能な無穴の蓋などによって開口部１５，２５が密閉され、このような蓋が、本発明にいう拡散防止機構の一例に相当する。
【００８２】
第８実施形態の生物収容器８でも、内側容器１０と外側容器２０との間に、例えばグリセロール水溶液１４が満たされていて、内側容器１０内部に対する視認性の向上が図られている。
【００８３】
第８実施形態の生物収容器８では、グリセロール水溶液１４の液面の高さを検知する液面センサ９３が備えられている。この液面センサ９３は液体の状態を検知するセンサの一種であって例えば液面計であり、更に具体的には、例えば、外側容器２０の壁越しに液面の高さが検知可能な光学式液面計が用いられているものとする。なお、液面計としては、光学式液面計の他にも、静電容量式液面計、フロート式液面計、超音波液面計、圧力式液面計等が採用されてもよい。また、液面の高さを検知するセンサとしては、液面計の他に画像カメラが採用されてもよい。
【００８４】
第８実施形態の生物収容器８では、液面センサ９３による液面の高さの検知で内側容器１０および外側容器２０の損壊が検知される。つまり、この液面センサ９３は、本発明にいう検知器の一例に相当する。
図１５は、第８実施形態における損壊検知方法の説明図である。
【００８５】
図１５には、図１４に示す液面センサ９３の検知例を表したグラフが示されている。グラフの横軸は時間を表し、縦軸は液面センサ９３が検知した液面の高さを表している。また、図１５のグラフには、液面センサ９３による検知量（高さ）の変化を示したラインＬ８が記されている。
【００８６】
内側容器１０および外側容器２０が損壊していない平常時には、液面センサ９３が検知した液面の高さは、予め設定されたグリセロール水溶液１４の高さと同じ高さを示している。内側容器１０および外側容器２０のいずれかが損壊して異常時に移行すると、グリセロール水溶液１４の漏水が生じ、液面センサ９３による検知量（高さ）が減少し始める。この結果、図１５の矢印が示す時点で容器に損壊が生じたことが検知される。第８実施形態では、内側容器１０および外側容器２０のうちどちらに損壊が生じた場合であっても検知されるが、内側容器１０および外側容器２０のどちらで損壊が生じたかの判別はできない。
第８実施形態でも、容器の損壊が検知されると、生物の拡散防止が維持されている間に管理者などによって生物収容器８が回収されることになる。
次に、本発明の生物収容器の第９実施形態について説明する。
図１６は、本発明の生物収容器の第９実施形態を示す図である。
図１６に示されている要素のうち、第８実施形態の要素と同様の要素については同一の符号を付して重複説明を省略する。
【００８７】
第９実施形態の生物収容器９も、内側容器１０と外側容器２０が入れ子になった構造を有する。第９実施形態では、内側容器１０の内部には観賞用の生物として例えばメダカや金魚等と言った小型の魚Ｆが収容され、魚Ｆの生育のため内側容器１０の内部には水１０１が溜められる。この魚Ｆも遺伝子組み換え生物の一種であり、例えば生物発光を生じさせる遺伝子が組み込まれているものとする。
【００８８】
第９実施形態の場合は、魚Ｆの生体や卵等と言った繁殖要素のサイズが１．２ｍｍ以上であるので、内側容器１０および外側容器２０それぞれの開口部１５，２５は、例えば塩化ビニル樹脂の枠に例えば１．０ｍｍのナイロン製網が張られた内側用蓋１８および外側用蓋２８によって閉じられる。これら内側用蓋１８および外側用蓋２８が、本発明にいう拡散防止機構の一例に相当する。内側容器１０および外側容器２０内の空気は内側用蓋１８および外側用蓋２８を介して自然換気によって容器外の空気と入れ替わる。
【００８９】
第９実施形態の生物収容器９では、内側容器１０と外側容器２０との間にも水１０１が溜められていて、内側容器１０内部に対する視認性の向上が図られている。また、内側容器１０と外側容器２０との間に溜められた水１０１の高さは、内側容器１０の内部に溜められた水１０１の高さよりも低くなっている。
【００９０】
第９実施形態の生物収容器９には、第８実施形態と同様に液面センサ９３が備えられていて、この液面センサ９３は、内側容器１０と外側容器２０との間に溜められた水１０１の液面の高さを検知する。第９実施形態の生物収容器９では、液面センサ９３による液面の高さの検知で内側容器１０および外側容器２０それぞれの損壊が個別に検知される。
図１７は、第９実施形態における損壊検知方法の説明図である。
【００９１】
図１７には、図１６に示す液面センサ９３の検知例を表したグラフが示されている。各グラフの横軸は時間を表し、縦軸は液面センサ９３が検知した液面の高さを表している。また、図１７の各グラフには、液面センサ９３による検知量（高さ）の変化を示したラインＬ８が記されている。
【００９２】
内側容器１０および外側容器２０が損壊していない平常時には、液面センサ９３が検知した液面の高さは、予め設定された水１０１の高さと同じ高さを示している。
【００９３】
図１７（Ａ）に示されたように、液面センサ９３が検知した液面の高さが上昇した場合には、内側容器１０の内部から外部へと水１０１が漏れている異常時に移行したことになり、図１７（Ａ）の矢印が示す時点で内側容器１０に損壊が生じたことが検知される。
【００９４】
また、図１７（Ｂ）に示されたように、液面センサ９３が検知した液面の高さが低下した場合には、外側容器２０の内部から外部へと水１０１が漏れている異常時に移行したことになり、図１７（Ｂ）の矢印が示す時点で外側容器２０に損壊が生じたことが検知される。
【００９５】
このように、第９実施形態では内側容器１０および外側容器２０それぞれの損壊が個別に検知される。そして、容器の損壊が検知されると、生物の拡散防止が維持されている間に管理者などによって生物収容器９が回収されることになる。
【００９６】
次に、本発明の生物収容器の第１０実施形態について説明する。この第１０実施形態は、漏水センサが増設されている点を除いて第１実施形態とほぼ同様の形態であるので以下の説明では相違点に着目し、重複説明は省略する。
図１８は、本発明の生物収容器の第１０実施形態を示す図である。
【００９７】
第１０実施形態の生物収容器１１０では内側容器１０の内部に観賞用の生物として、例えばメダカや金魚などと言った小型の魚Ｆと、ゼニゴケなどといったコケ類Ｍが収容される。従って、第１０実施形態における繁殖要素は、魚Ｆの生体や卵とコケ類Ｍの生体や胞子ということになる。魚Ｆの生体や卵は１．２ｍｍ以上のサイズであるが、コケ類Ｍの胞子は１０μｍから１５μｍ程度のサイズであるので、このような繁殖要素の拡散防止のため、ヘパフィルタ４１，４２，４３が用いられている。
【００９８】
また、魚Ｆやコケ類Ｍの生育のため、内側容器１０の内部には、土１２が敷かれると共に、水１０１が溜められている。そして、内側容器１０の内部へと空気を供給する第１の通気パイプ３１が水１０１の内部に空気を送り込むことで水中の溶存酸素量の確保が図られている。
【００９９】
第１０実施形態の生物収容器１１０には、内側容器１０と外側容器２０との間に漏水センサ９４が設けられている。第１０実施形態の生物収容器１１０には、第１実施形態と同様に第１の流量センサ５１と第２の流量センサ５２も設置されているので、第１実施形態と同様に内側容器１０および外側容器２０の損壊が検知されるが、例えばひび割れのような損壊が、水１０１の液面よりも低い箇所で生じた場合には、流量センサで検知される程の流量変化が生じない虞がある。そこで第１０実施形態の生物収容器１１０では漏水センサ９４が併用され、水１０１の液面よりも低い箇所でひび割れ等が生じた場合には、漏水によって損壊が検知される。従って、第１０実施形態の生物収容器１１０では、より確実に容器の損壊が検知されることになる。
【０１００】
次に、本発明の生物収容器の第１１実施形態について説明する。この第１１実施形態は、液面の高さを検知するために画像カメラが採用されている点と、容器の損壊を通知するシステムを有する点とを除いて第８実施形態とほぼ同様の形態であるので以下の説明では相違点に着目し、重複説明は省略する。
図１９は、本発明の生物収容器の第１１実施形態を示す図である。
【０１０１】
第１１実施形態の生物収容器１２０には、水１０１の液面高さを検知するための画像カメラ９５が備えられている。この画像カメラ９５は、内側容器１０および外側容器２０が画角内に納まるように、外側容器２０の上部に取り付けられている。そして、この画像カメラ９５は一定の時間間隔毎に生物収容器１２０を撮影して撮影画像を得る。
【０１０２】
画像カメラ９５の撮影によって得られた撮影画像はパーソナルコンピュータ９６による画像解析に用いられ、水１０１の液面高さや、外側容器２０外での漏水の有無や、内側容器１０および外側容器２０におけるひび割れの有無などが解析される。なお、これらの画像解析については、全部が実行されてもよいが、これらの画像解析の一部のみが実行されてもよい。
【０１０３】
パーソナルコンピュータ９６による画像解析の結果として、内側容器１０および外側容器２０の少なくとも一方について損壊が検出された場合には、パーソナルコンピュータ９６から特定の通知先に、生物収容器１２０の損壊を知らせる通知が送られる。
図２０は、第１１実施形態における損壊の通知システムを示す図である。
【０１０４】
パーソナルコンピュータ９６は、画像カメラ９５によって得られた撮影画像の画像解析で内側容器１０および外側容器２０の少なくとも一方について損壊が検出された場合には、例えばインターネットや電話網などといったネットワーク１３０を介して、例えば電子メールなどの形式で、損壊検出を通知する。通知先としては、例えば生物収容器１２０を展示用に貸し出した提供者の端末１３１や、例えば生物収容器１２０を借り受けて展示用に管理している管理者の端末１３２などが設定されており、このような通知を受けた提供者や管理者は、繁殖要素の拡散防止が保たれている内に速やかに生物収容器１２０を回収する。このように通知が行われることにより、提供者や管理者は速やかに損壊の発生を認識することができるので、生物収容器１２０が安全に回収されることになる。
次に、上記説明した外側容器２０における蓋の構造例について説明する。
図２１は、外側容器２０における蓋の第１の構造例を示す図である。
【０１０５】
第１の構造例では、外側容器２０の上部に蓋１２１がヒンジ１２２で連結されている。蓋１２１には開閉用の取っ手１２３が設けられており、展示に際しては図示されていない留金で蓋１２１が外側容器２０に固定される。このように蓋１２１が外側容器２０の上部に設けられていると、水を溜めた内側容器１０に損壊が生じて水が漏れた場合であっても蓋１２１の位置までは水が届かないので、内部の生物の回収などが容易である。
【０１０６】
また、蓋１２１が外側容器２０の上部に設けられていると、外側容器２０の全周が透明な観賞用の壁１２４として利用可能となり、観賞用の容器として好ましい。
図２２は、外側容器２０における蓋の第２の構造例を示す図である。
図２２（Ａ）には、外側容器２０の裏面側が示され、図２２（Ｂ）には、外側容器２０の正面側が示されている。
【０１０７】
第２の構造例では、外側容器２０の裏面側に蓋１２１がヒンジ１２２で連結されている。蓋１２１には開閉用の取っ手１２３が設けられており、展示に際しては図示されていない留金で蓋１２１が固定される。このように蓋１２１が外側容器２０の裏面側に設けられていると、生物の出し入れや生育環境管理などに際し、容器内部に物を落下させて生物や容器などを痛めてしまう虞が少ない。
外側容器２０の正面と側面は透明な観賞用の壁１２４となっている。
【０１０８】
最後に、上記説明した内側容器１０および外側容器２０に替えて用いられる別の容器構成について説明する。なお、以下説明する容器構成は、上記説明した全ての実施形態について適用可能という訳ではないが、１つ以上の実施形態について適用可能な容器構成である。
図２３は、第１の容器構成を示す図である。
【０１０９】
第１の容器構成を有する生物収容器１６０には、上述した内側容器１０に替えて、上述した魚などといった観賞用の生物が収容される水槽部分１４１と、水槽部分１４１に溜められた水１０１を循環させると共に水１０１から不要物を濾過する濾過器部分１４２とが配管１４３で結合され、蓋１４４等によってそれら水槽部分１４１および濾過器部分１４２から外部への繁殖要素の拡散防止が図られた内側結合容器１４０が備えられている。このように、繁殖要素の拡散防止が図られた内側結合容器１４０内で水１０１が循環され濾過されることにより、拡散防止の厳格化が図られている。この内側結合容器１４０は、本発明にいう第１容器の一例に相当する。
【０１１０】
また、この生物収容器１６０には、上述した外側容器２０に替えて、水槽部分１４１を収容した第１部分１５１と濾過器部分１４２を収容した第２部分１５２とに区切られ、それら第１部分１５１および第２部分１５２から外部への繁殖要素の拡散防止が施された外側結合容器１５０が備えられている。そして、第１部分１５１には、水槽部分１４１に収容される生物の出し入れおよび生育環境管理のための蓋１５３が備えられ、第２部分１５２には、第１部分１５１の蓋１５３とは個別に開閉可能な、濾過器部分１４２のメンテナンス用の蓋１５４が備えられている。この外側結合容器１５０が、本発明にいう第２容器の一例に相当する。
【０１１１】
このような内側結合容器１４０および外側結合容器１５０を備えた生物収容器１６０では、水槽部分１４１とは独立に濾過器部分１４２のメンテナンスが可能となり、メンテナンスが容易である。
図２４は、第２の容器構成を示す図である。
図２４に示す要素の内、図２３に示された要素と同様の要素については同一の符号を付して重複説明を省略する。
【０１１２】
第２の容器構成を有する生物収容器１７０にも、水槽部分１４１と濾過器部分１４２とが結合されて繁殖要素の拡散防止が図られた内側結合容器１４０が備えられている。但し、第２の容器構成の生物収容器１７０では、いわゆるオーバフロー水槽が採用されており、水槽部分１４１と濾過器部分１４２は、給水用配管１４３とフロー回収用配管１４６とで結合されている。また、濾過器部分１４２は、濾過材１４５が組み込まれた濾過槽１４７と、濾過材１４５で濾過された水１０１を水槽部分１４１へと送り出すポンプ１４８とを備えている。
【０１１３】
この第２の容器構成の生物収容器１７０でも、外側結合容器１５０の第２部分１５２に、第１部分１５１の蓋１５３とは個別に開閉可能な蓋１５４が備えられている。濾過器部分１４２の濾過材１４５の交換などに際しては、第２部分１５２の蓋１５４が空けられて水槽部分１４１とは独立に作業が行われるので作業が容易である。
【０１１４】
なお、上記説明では、本発明の生物収容器の実施形態として、生物発光を生じさせる遺伝子が組み込まれた遺伝子組み換え生物が展示用として収容されるのに適した例が示されているが、本発明の生物収容器は、生物発光以外の遺伝子が組み込まれた遺伝子組み換え生物を収容するために用いられてもよいし、遺伝子組み換え生物以外の、例えば環境への拡散により生態系に悪影響を及ぼす外来種などといった生物を収容するために用いられてもよい。従って、本発明の生物収容器は、透明な壁を有さず外部から内部の生物が視認不能なものであってもよい。
【０１１５】
また、上記説明では、本発明の生物収容器の実施形態として、２重の容器のどちらが損壊した場合であっても検知される例が示されているが、例えば、観賞者が展示容器に触れられるような態様により展示される場合には、観賞者によって外側容器が破損させられる虞があるため、外側容器のみについて損壊が検知される形態であってもよい。また、内側容器に設置物（石や流木など）がレイアウトされている場合には、設置物が崩れることによって内側容器が破損させられる虞があるため、内側容器のみについて損壊が検知される形態であってもよい。
【０１１６】
また、上記説明では、本発明にいう検知器として、容器の損壊を検知する検知器が例示されているが、本発明にいう検知器は、例えば蓋が衝撃や閉め忘れなどで開いた状態となっていて拡散防止が損なわれていることを検知する例えば開閉センサなどであってもよい。
【０１１７】
また、上記説明では、本発明の生物収容器の実施形態として、可搬な生物収容器が例示されているが、本発明の生物収容器は、土地や建物などに固定されていて移動不能なものであってもよい。このように固定されている場合は、本発明にいう第２容器の底部は、生物収容器が固定されている土地や建物などの一部である例えばコンクリートなどで形成されていてもよい。
【符号の説明】
【０１１８】
１〜９，１１０，１２０，１６０，１７０…生物収容器、１０…内側容器、
２０…外側容器、４１，４２，４３，４５，４６，４７…ヘパフィルタ、
５１，５２，５３，５５，５６…流量センサ、６１，６５，６６…空気循環用ポンプ、
８１，８２…フィルタ、１４…グリセロール水溶液、９１，９２，９４…漏水センサ、
９３…液面センサ、９５…画像カメラ、９６…パーソナルコンピュータ、
１３０…ネットワーク、１３１，１３２…端末、２１，２７，２８，１２１…蓋、
１４０…内側結合容器、１５０…外側結合容器
【図１】
2019103433.tif 000003
【図２】
2019103433.tif 000004
【図３】
2019103433.tif 000005
【図４】
2019103433.tif 000006
【図５】
2019103433.tif 000007
【図６】
2019103433.tif 000008
【図７】
2019103433.tif 000009
【図８】
2019103433.tif 000010
【図９】
2019103433.tif 000011
【図１０】
2019103433.tif 000012
【図１１】
2019103433.tif 000013
【図１２】
2019103433.tif 000014
【図１３】
2019103433.tif 000015
【図１４】
2019103433.tif 000016
【図１５】
2019103433.tif 000017
【図１６】
2019103433.tif 000018
【図１７】
2019103433.tif 000019
【図１８】
2019103433.tif 000020
【図１９】
2019103433.tif 000021
【図２０】
2019103433.tif 000022
【図２１】
2019103433.tif 000023
【図２２】
2019103433.tif 000024
【図２３】
2019103433.tif 000025
【図２４】
2019103433.tif 000026
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
生きた状態で内部に収容した生物における繁殖可能な要素の外部拡散を防ぐ拡散防止機構を備えた第１容器と、
前記第１容器を内部に収容し、前記拡散防止機構を備えた第２容器と、
前記第１容器および前記第２容器の少なくとも一方について、前記要素の拡散防止が損なわれていることの検知を行う検知器とを備えており、
前記第１容器と前記第２容器との少なくとも一方が内部に液体を溜めたものであり、
前記検知器が、前記液体の状態を検知することで容器損壊の検知を行うものであることを特徴とする生物収容器。
【請求項２】
前記拡散防止機構が、前記生物の生息環境を成す媒体を通過させ前記要素は遮るフィルタであり、
前記媒体が前記液体であり、
前記第１容器と前記第２容器との少なくとも一方の容器について、前記媒体を前記フィルタ経由で容器内外に循環させる循環器を備え、
前記検知器が、前記媒体の状態を検知することで容器損壊の検知を行うものであることを特徴とする請求項１に記載の生物収容器。
【請求項３】
前記第１容器が内部に液体を溜めたものであり、
前記第２容器が、前記第１容器に損壊が生じて前記液体が漏れた場合であっても該液体が届かない高さに開閉蓋を備えたものであることを特徴とする請求項１または２に記載の生物収容器。
【請求項４】
前記第１容器が、容器壁の一部として透明な壁を有するものであり、
前記第２容器が、前記第１容器の透明な壁に対面した箇所に透明な壁を有するものであることを特徴とする請求項１から３のいずれか１項に記載の生物収容器。
【請求項５】
前記第１容器の透明な壁と、前記第２容器の透明な壁との間に液体が溜められていることを特徴とする請求項４に記載の生物収容器。
【請求項６】
生きた状態で内部に収容した生物における繁殖可能な要素の外部拡散を防ぐ拡散防止機構を備えた第１容器と、
前記第１容器を内部に収容し、前記拡散防止機構を備えた第２容器と、
前記第１容器および前記第２容器の少なくとも一方について、前記要素の拡散防止が損なわれていることの検知を行う検知器とを備え、
前記第１容器が、容器壁の一部として透明な壁を有するものであり、
前記第２容器が、前記第１容器の透明な壁に対面した箇所に透明な壁を有するものであることを特徴とする生物収容器。
【請求項７】
前記透明な壁が、アクリル樹脂あるいはガラスからなることを特徴とする請求項４から６のいずれか１項に記載の生物収容器。
【請求項８】
前記第１容器が、前記生物の生息環境を成す媒体を循環させるとともに該媒体から不要物を濾過する濾過器を備えたものであることを特徴とする請求項１，３から７のいずれか１項に記載の生物収容器。
【請求項９】
前記第２容器が、前記第１容器のうち前記生物が収容された収容部が内部に納められた第１室と、前記第１容器のうち前記濾過器が内部に納められた第２室とを備え、
前記第１室および前記第２室が、個別に開閉可能な各開閉蓋を有するものであることを特徴とする請求項８に記載の生物収容器。
【請求項１０】
前記拡散防止機構が、前記生物の生息環境を成す媒体を通過させ前記要素は遮るフィルタであることを特徴とする請求項６から９のいずれか１項に記載の生物収容器。
【請求項１１】
前記検知器が容器の損壊を検知した場合に、予め決められた通知先に検知を通知する通知機構を備えたことを特徴とする請求項１から１０のいずれか１項に記載の生物収容器。